(57)【要約】【課題】  近年ＩＰ網の整備が進んだことから、ＩＰ網に接続されたファクシミリ端末が増えている。ＩＰ網上ではファクシミリ信号はみなし音声信号として処理されるが、周波数帯の損失やパケットの遅延／喪失による回線障害が発生し易い。この対策として、ＩＰ網側でファクシミリ信号を検出した場合にＱｏＳ制御を行いパケット遅延／喪失の軽減を行うＩＰ−ＰＢＸやＧＷが存在するが、ファクシミリ信号が検出されない場合にはＱｏＳ制御が行われずファクシミリ通信に十分な帯域が確保されないために通信エラーになる場合がある。【解決手段】  ＩＰ網経由でファクシミリ通信を行う場合に、発呼側が非音声端末であることを示す信号の送出を停止する条件を、従来よりも遅いタイミングにすることにより、ＩＰ網側で確実にＣＮＧ信号を検出できるようにし、ＱｏＳ制御が確実にできるようにした。【選択図】  図５
2011124664.tif 000002
【特許請求の範囲】
【請求項１】
画像通信装置がＩＰ網に接続されているかどうか判断する判断手段と、
被呼側の画像通信装置からのＶ．２１変調方式で変調された信号を検出する第１の検出手段と、
回線補足に従って、発呼側が非音声端末であることを示す信号を送出する送出手段と、
前記判断手段によってＩＰ網に接続されていると判断された場合に、前記第１の検出手段によってＶ．２１変調方式で変調された信号が検出されたことに従って、前記送出手段は、再度発呼側が非音声端末であることを示す信号を送出することを特徴とする画像通信装置。
【請求項２】
被呼側の画像通信装置からの被呼局を識別するためのトーン信号を検出する第２の検出手段と、
前記判断手段によってＩＰ網に接続されていると判断されない場合に、前記第２の検出手段によってトーン信号が検出されたことに従って、前記送出手段は、発呼側が非音声端末であることを示す信号の送出を停止することを特徴とする請求項１に記載の画像通信装置。
【請求項３】
画像通信装置がＩＰ網に接続されているかどうか判断する判断手段と、
被呼側の画像通信装置からの被呼局を識別するためのトーン信号を検出する第２の検出手段と、
回線補足に従って、発呼側が非音声端末であることを示す信号を送出する送出手段と、
前記判断手段によってＩＰ網に接続されていると判断された場合に、前記第２の検出手段によって前記被呼局を識別するためのトーン信号が検出されたことに従って、前記送出手段は、再度発呼側が非音声端末であることを示す信号を送出することを特徴とする画像通信装置。
【請求項４】
前記判断手段によってＩＰ網に接続されていると判断されない場合に、前記第２の検出手段によってトーン信号が検出されたことに従って、前記送出手段は、発呼側が非音声端末であることを示す信号の送出を停止することを特徴とする請求項３に記載の画像通信装置。
【請求項５】
ＡＮＳａｍ信号を検出する第３の検出手段を有し、
前記判断手段によってＩＰ網に接続されていると判断された場合に、前記第３の検出手段によってＡＮＳａｍ信号が検出されたことに従って、前記送出手段は、再度発呼側が非音声端末であることを示す信号を送出することを特徴とする請求項１乃至４のいずれか１項に記載の画像通信装置。
【請求項６】
被呼側の画像通信装置からのデジタル識別信号を検出する第４の検出手段を更に有し、前記判断手段によってＩＰ網に接続されていると判断された場合に、前記第４の検出手段により被呼側の画像通信装置からのデジタル識別信号を検出されたことに従って、Ｖ．８手順を実行することを特徴とする請求項５に記載の画像通信装置。
【請求項７】
前記判断手段によってＩＰ網に接続されていないと判断された場合に、前記第３の検出手段によってＡＮＳａｍ信号が検出されたことに従って、前記送出手段は、発呼側が非音声端末であることを示す信号の送出を停止し、Ｖ．８手順を実行することを特徴とする請求項５または６のいずれか１項に記載の画像通信装置。
【請求項８】
前記判断手段は、画像通信装置がＩＰ網に接続されていると判断した場合に、Ｖ．８手順の実行を禁止することを特徴とする請求項１乃至４のいずれか１項に記載の画像通信装置。
【請求項９】
前記判断手段は、前記被呼側の画像通信装置との通信が成立しなかったことにより、ＩＰ網に接続されていると判断することを特徴する請求項１乃至８のいずれか１項に記載の画像通信装置。
【請求項１０】
ＩＰ網に接続されているかどうかを設定する設定手段を更に有し、
前記判断手段は、前記設定手段によりＩＰ網に接続されていると設定されている場合、ＩＰ網に接続されていると判断することを特徴とする請求項１乃至８のいずれか１項に記載の画像通信装置。
【請求項１１】
相手先番号が０５０で始まる番号かどうか検出する第５の検出手段を更に有し、前記判断手段は、第５の検出手段によって相手先番号が０５０で始まる番号であることが検出された場合にＩＰ網に接続されていると判断することを特徴とする請求項１乃至８のいずれか１項に記載の画像通信装置。
【請求項１２】
画像通信手段がＩＰ網に接続されているかどうか判断する判断工程と、
被呼側の画像通信装置からのＶ．２１変調方式で変調された信号を検出する第１の検出工程と、
回線補足に従って、発呼側が非音声端末であることを示す信号を送出する送出工程と、
前記判断工程によってＩＰ網に接続されていると判断された場合に、前記第１の検出工程によってＶ．２１変調方式で変調された信号が検出されたことに従って、前記送出手段は、再度発呼側が非音声端末であることを示す信号を送出することを特徴とする画像通信装置を制御するためのプログラム。
【請求項１３】
画像通信手段がＩＰ網に接続されているかどうか判断する判断工程と、
被呼側の画像通信装置からの被呼局を識別するためのトーン信号を検出する第２の検出工程と、
回線補足に従って、発呼側が非音声端末であることを示す信号を送出する送出工程と、
前記判断工程によってＩＰ網に接続されていると判断された場合に、前記第２の検出工程によって前記被呼局を識別するためのトーン信号が検出されたことに従って、前記送出工程は、再度発呼側が非音声端末であることを示す信号を送出することを特徴とする画像通信装置を制御するためのプログラム。
【発明の詳細な説明】
【技術分野】
【０００１】
本発明は、データ通信に関し、画像通信装置がＩＰ網経由で通信を行う場合の通信制御手順に関するものである。
【背景技術】
【０００２】
近年、家庭や中小規模のオフィスにおいてはＡＤＳＬ（Ａｓｙｍｍｅｔｒｉｃ  Ｄｉｇｉｔａｌ  Ｓｕｂｓｃｒｉｂｅｒ  Ｌｉｎｅの略）やＦＴＴＨ（Ｆｉｂｅｒ  Ｔｏ  Ｔｈｅ  Ｈｏｍｅの略）を利用したインターネット接続サービスが普及している。これに伴い、ネットワークの構成は、従来の専用線のネットワークからＶＰＮ（Ｖｉｒｔｕａｌ  Ｐｒｉｖａｔｅ  Ｎｅｔｗｏｒｋ：インターネットに専用線を作る技術）を用いたＩＰネットワークへと変化してきている。
【０００３】
また、これらのＩＰネットワークを利用したＩＰ電話もまた広く普及してきている。ＩＰ電話は、音声をＩＰパケットとして送る技術（ＶｏＩＰ：Ｖｏｉｃｅ  ｏｖｅｒ  Ｉｎｔｅｒｎｅｔ  Ｐｒｏｔｏｃｏｌ）を利用した通話手段である。これによって、高価な交換機といった設備を使用しなくても、安価なＩＰネットワーク／ルータ等で音声通話が行える。ＩＰ電話によって、遠距離通話が多いユーザは通信費用を大幅に抑制することができる。
【０００４】
これらＩＰネットワーク／ＩＰ電話の整備・普及を背景として、企業はもとより家庭でもＩＰネットワークに接続されたファクシミリ端末が増加し、またＩＰネットワークを経由したファクシミリ通信が増えてきている（図１）。
【０００５】
従来の公衆電話網のみを経由するファクシミリ通信（図１の通信経路（１））から、ＩＰネットワーク経由のファクシミリ通信が増えてきている。ＩＰネットワーク経由のファクシミリ通信には、以下のような形態がある。まず、ＶｏＩＰルータでＩＳＰ（Ｉｎｔｅｒｎｅｔ  Ｓｅｒｖｉｃｅ  Ｐｒｏｖｉｄｅｒ）と接続しインターネットを経由するファクシミリ通信（図１の通信経路（２））である。次に、ＶｏＩＰルータで企業の専用線やＶＰＮなどＩＰネットワークと接続しＶｏＩＰゲートウェイを経由して公衆電話網と接続するファクシミリ通信（図１の通信経路（３））である。さらに、ＩＰネットワーク内に接続されたファクシミリ間での通信（図１の通信経路（４））等と様々な接続形態でのＩＰネットワーク経由のファクシミリ通信である。
【０００６】
従来の公衆電話網でのファクシミリ通信は、必要な伝送路上の帯域が保証されているため通信障害があまり発生しなかった。しかしながら、ＩＰネットワークの普及に伴ってＩＰネットワーク経由のファクシミリ通信が増えてくるとＩＰネットワークに起因する通信障害が徐々に増加してきている。
【０００７】
ＩＰネットワーク経由のファクシミリ通信では、ファクシミリ信号は音声信号としてパケットに分割して伝送され、受信側でパケットを組み立て音声信号に復号する。ＩＰネットワークでは信号を伝達する時間に保証がないため、ＩＰネットワークが混雑している場合に音声信号の帯域が十分に取れないために、周波数帯の損失やパケットの遅延／喪失による回線障害が発生する場合がある。
【０００８】
これらの障害は、通信するデータ量の大きい企業内ネットワークで発生しやすく、データ通信が集中する時間帯などに集中して発生する。
【０００９】
送信機側の音声信号は受信機側に到達するまでに、ＶｏＩＰルータ（又は公衆回線網とＩＰネットワークとの間にあるＶｏＩＰゲートウェイ）で信号のアナログ−デジタル変換、符号化、パケット分割し送信される。ＩＰネットワーク内でのルータでルーティング中継／転送され、受信機側のＶｏＩＰルータ（又はＶｏＩＰゲートウェイ）でパケット組み立て、復号化、デジタル−アナログ変換され音声信号が復元される。
【００１０】
ＩＰネットワーク内では、転送されるパケットの通信速度は一定であるわけではなく、転送されるパケットは途中のＩＰネットワークでのネットワーク混雑や障害により受信機側のＶｏＩＰルータへの到着タイミングに差（ゆらぎ）が発生する（図２）。このゆらぎの度合いが大きかったり、ＩＰネットワーク内でのパケット消失（パケットロス）が発生したりすると、ＶｏＩＰルータが送信機側でサンプリングした信号波形を復元できない場合が発生し、音声信号に瞬断が発生しものとして再生される。
【００１１】
ＩＰネットワークのゆらぎやパケットロスにより発生した信号の瞬断は、ファクシミリ通信に影響を及ぼす。
【００１２】
ファクシミリ通信は、送信機側のモデムと受信機側のモデムで同期をとりながら手順信号／画像データ転送を繰返し行う通信方式である。このような送信機側と受信機側で同期を必要とする通信方式において、瞬断による通信信号の欠落は、モデムの同期を失わせる。手順の維持、画像データ受信の継続が困難になる。
【００１３】
ＩＰネットワーク上の通信においては、ある特定の通信のために帯域を予約したり、パケットに優先度を付けて、特定の通信に対して一定の通信速度を保証する技術としてＱｏＳ（Ｑｕａｌｉｔｙ  ｏｆ  Ｓｅｒｖｉｃｅ）がある。ＱｏＳは音声やテレビ会議といったリアルタイム性が要求される通信において適用されている。手順信号や画像信号にリアルタイム性が必要であり、またパケットロス等による瞬断に弱いファクシミリ通信に対してもこのＱｏＳを実施しているＩＰネットワーク網も多く存在する。ファクシミリ通信に対してＱｏＳが行われれば、帯域保証や優先制御が行われるために、これまで述べてきたようなパケットの遅延や消失による通信障害が発生しなくなる。
【００１４】
ＩＰ網側のＶｏＩＰルータはファクシミリ通信に対してＱｏＳを行う場合に、受信機が最初に出すＣＥＤ信号や送信機が最初に出すＣＮＧ信号の検出をもって、ＱｏＳの開始を行うのが一般的である。ここで、ＣＥＤ信号は、被呼局を識別するため被呼局識別信号とも呼ばれ、２１００ＨＺのトーン信号である。またＣＮＧ信号は、発呼側が非音声端末であることを示す信号で、１１００ＨＺのトーン信号である。送信機側は、受信機側のＣＥＤ信号を検出するとＣＮＧ信号を停止するのが一般的である。しかし、ＣＮＧ信号の停止が早すぎると、ＩＰ網側がＣＮＧ信号のみをＱｏＳのトリガとしている場合に、ＣＮＧ信号が検出できない。これによって、ＩＰ網側はＱｏＳ制御を行えず、回線に瞬断等が発生して通信はエラー終了してしまう問題が発生する。
【００１５】
図３は、Ｖ．１７、Ｖ．２７ｔｅｒ、Ｖ．２９変調方式のいずれかの通信モードでファクシミリ通信を開始した場合に、ＩＰ網側がＣＮＧ信号を検出できなかった為に発生する通信エラー過程を、送信／受信信号の様子から時系列的に示した図である。送信機側はＣＥＤ信号を検出して、ＶｏＩＰルータがファクシミリ信号を検知可能になる前にＣＮＧ信号を停止してしまっている。このため、ＩＰ網側がＣＮＧ信号のみをＱｏＳのトリガとしている場合には、ＣＮＧ信号が検出できずにＱｏＳ制御を行わない。これによって、回線に瞬断等が発生し、通信はエラー終了してしまう場合が発生しうる。
【００１６】
通信処理手順の中断／再開するファクシミリ装置の従来例としては、特開平５−３０２７３が知られている。当該特許文献では、電話機と接続されたファクシミリ装置に着信した場合に、発信側からのＤＴＭＦ信号検出によって通話処理を行う。ファクシミリ装置で、手順信号送出中にＤＴＭＦ信号を検知した場合には手順処理を中断し通話要求処理をファクシミリ装置に行う事が開示されている。また、通話要求に対して応答がない場合には一定時間経過後に手順処理を再開する事が開示されている。
【００１７】
しかしながら、当該特許文献は、発呼側ファクシミリ装置が、ＩＰ網側のＱｏＳ機能を動作させるべく、信号の送出タイミングを制御するものではなかった。
【先行技術文献】
【特許文献】
【００１８】
【特許文献１】特開平５−３０２７３
【発明の概要】
【発明が解決しようとする課題】
【００１９】
これまで述べたようにＩＰ網経由のファクシミリの通信を行う場合、従来の公衆回線網経由のファクシミリ通信に比べて瞬断等の回線障害が発生し易く、その為に通信エラーとなるケースが多くなってしまう。
【００２０】
そこで本発明の目的は、ＩＰ網側のＱｏＳ機能を積極的に利用してファクシミリ通信の帯域を確保し、信号伝達時間の保証のないＩＰ網においてもファクシミリ通信の品質を維持することにある。
【課題を解決するための手段】
【００２１】
上述した課題・問題点を解決するために、本発明は、
画像通信装置がＩＰ網に接続されているかどうか判断する判断手段と、被呼側の画像通信装置からのＶ．２１変調方式で変調された信号を検出する第１の検出手段と、回線補足に従って、発呼側が非音声端末であることを示す信号を送出する送出手段と、前記判断手段によってＩＰ網に接続されていると判断された場合に、前記第１の検出手段によってＶ．２１変調方式で変調された信号が検出されたことに従って、前記送出手段は、再度発呼側が非音声端末であることを示す信号を送出することを特徴とする。
【００２２】
さらに、本発明は、
画像通信装置がＩＰ網に接続されているかどうか判断する判断手段と、被呼側の画像通信装置からの被呼局を識別するためのトーン信号を検出する第２の検出手段と、回線補足に従って、発呼側が非音声端末であることを示す信号を送出する送出手段と、前記判断手段によってＩＰ網に接続されていると判断された場合に、前記第２の検出手段によって前記被呼局を識別するためのトーン信号が検出されたことに従って、前記送出手段は、再度発呼側が非音声端末であることを示す信号を送出することを特徴とする。
【発明の効果】
【００２３】
本発明によって、ＩＰ網側でファクシミリ信号を確実に検出できるため、ＩＰ網側で適切にＱｏＳ制御ができ、ファクシミリ通信の品質を維持できるという効果がある。
【図面の簡単な説明】
【００２４】
【図１】ＩＰネットワーク経由のファクシミリ通信の増加を示すネットワークの関係図。
【図２】ＩＰネットワークでの音声品質劣化の発生を示す機構図。
【図３】Ｖ．２７ｔｅｒ、Ｖ．２９、Ｖ．１７変調方式のいずれかの通信モードを従来処理で送信を行った場合の回線障害が発生しエラー終了する過程を示したシーケンス図。
【図４】本発明の実施例１に係わる通信装置の構成を示すブロック図である。
【図５】本発明の実施例１における、Ｖ．２７ｔｅｒ、Ｖ．２９、Ｖ．１７変調方式のいずれかの通信モードでの回線障害を回避する様子を示したシーケンス図。
【図６】Ｖ．３４変調方式の通信モードで送信を行った場合に回線障害が発生しエラー終了する過程を示したシーケンス図。
【図７】本発明の実施例１における、Ｖ．３４変調方式の通信モードでの回線障害を回避する様子を示したシーケンス図。
【図８】本発明の実施例１における、送信処理を示すフローチャート。
【発明を実施するための形態】
【００２５】
（実施例１）
以下、図４から図８に示す実施例に基づき、本発明を実施するための最良の形態について図面を用いて説明する。
【００２６】
図４は、本発明の一実施例による画像通信装置の構成を示すブロック図である。
【００２７】
図４において、
１０１：ＣＰＵは、システム制御部であり、装置全体を制御する。
１０２：ＲＯＭは、ＣＰＵの制御プログラムを格納するものである。
１０３：ＲＡＭは、ＳＲＡＭ等で構成され、画像データを蓄積する為のものである。
１０４：画像メモリは、ＤＲＡＭ等で構成され、画像データを蓄積する為のものである。
１０５：解像度変換処理部は、ラスタデータのミリ−インチ解像度変換等の解像度変換制御を行うものである。
１０６：読取・記録用符号化復号化処理部（読取・記録用コーデック）は、通信装置で扱う画像データの符号化復号化処理を行う。
１０７：時計部は、動作間隔等を計測し、ＩＣ等で構成される。
１０８：モデムは、回線からの変調された信号を受信して復調し、逆に装置からの信号を変調し、回線に送出するものである。モデム１０８はＶ．２７ｔｅｒ、Ｖ．２９、Ｖ．１７、Ｖ．３４等の変調方式に対応している。
１０９：回線ｉ／ｆ部は、ＮＣＵ等で構成されるネットワーク制御部である。電話機の接続端子が２個の場合には、夫々の端子でオフフック／オンフック検知をするために接続端子毎にフック検知回路を有する。
１１０：電話機は、回線ｉ／ｆ部（ＮＣＵ）を通して電話回線に接続されるハンドセット（ダイヤラを持たない電話機）や外付け電話機（留守番電話機等）である。
１１１：ＩＰネットワークと端末をつなぐＶｏＩＰルータである。ＶｏＩＰルータはＩＰネットワークと通信装置をアナログポートで接続する。
１１２：ＶＰＮ等のＩＰネットワークである。
１１３：画像処理部は、スキャナによって読み込まれた画像データに補正処理を施して高精細な画像データを出力するものである。
１１４、１１５：シートスキャナ、ブックスキャナは、ＣＳイメージセンサ、原稿搬送機構などで構成され、原稿を光学的に読み取って電気的な画像データに変換するものである。両面原稿の読み取りを行う。
１１６：操作部は、キーボード、表示部等で構成され、オペレータが各種入力操作を行うためのものである。ハンドセットがオフフック時に即時ダイヤル操作可能を示し。また、外付け電話機がオフフック時には、通信中であること
の表示及び通信予約受け付け可能なことを表示する。
１１７：ラインバッファは。画像データの転送制御を行う場合に使用するするラインバッファである。
１１８：プリントバッファは、印字用文字コードを格納する為の１ページ分のバッファメモリである。
１１９：プリンタは、受信画像やファイルデータを普通紙に記録するＬＢＰ等のプリンタであり、両面記録を行うことができる。
【００２８】
図５は、本発明の実施例における、Ｖ．２７ｔｅｒ、Ｖ．２９、Ｖ．１７のいずれかの通信スピードをもつモデムの変調モードの通信をする時に、回線障害を回避するためのシーケンスを示す。送信側のＣＮＧ信号停止するタイミングを、従来のＣＥＤ信号検出したタイミングではなくＤＩＳ信号（デジタル識別信号）のフラグまたはフレームを検出したタイミングに切替えている。このため、ＣＮＧ信号の停止タイミングがＩＰ網側でファクシミリ信号を検知することが可能になる範囲まで延びている。これによって、ＩＰ網は、この通信がファクシミリ通信だと判断できＱｏＳ制御を行うことができ、それ以降の通信が正常に行われている。
【００２９】
図６は、Ｖ．３４の通信モードでファクシミリ通信を開始した場合にＩＰ網側がＣＮＧ信号を検出できなかったために発生する通信エラーについて説明したものである。送信機側はＡＮＳａｍ信号（２１００ＨＺを１５ＨＺで振幅変調したトーン信号）を検出することによって、Ｖ．８手順（Ｖ．３４フェーズ１）を行う。ＡＮＳａｍ信号も被呼局を識別するため被呼局識別信号の一例である。図５では、ＩＰ網がファクシミリ信号を検知することが可能になる前に、ＣＮＧ信号が停止されてしまう。このため、ＩＰ網側がＣＮＧ信号のみをＱｏＳのトリガとしている場合には、ＣＮＧ信号が検出できずにＱｏＳ制御を行わない。これによって、回線に瞬断等が発生し、通信はエラー終了してしまう場合が発生しうる。
【００３０】
図７は、本発明の実施例における、Ｖ．３４の通信モード時に回線障害を回避する様子を示したシーケンス図である。送信側は、受信側の送出するＡＮＳａｍを検出してもＣＭ信号を送出せずに、ＣＮＧ信号を送出し続けるように制御する。このため、受信機側はＡＮＳａｍタイムアウトしてＶ．２１変調方式を用いた低速手順へ移行しＤＩＳ信号を送出する。ＣＮＧ信号の停止タイミングがＩＰ網側でファクシミリ信号を検知することが可能になる範囲まで延びている。その為、ＩＰ網は、この通信がファクシミリ通信だと判断できＱｏＳ制御を行うことができる。この後、送信機側はＤＩＳ信号のＶ．８能力を確認してＣＩ信号を送出し再びＶ．８手順を開始してＶ．３４手順へ移行することができ、通信は正常に行われる。ここでは、受信機側はＡＮＳａｍタイムアウトしてＶ．２１変調方式を用いた低速手順へ移行しる例について説明した。しかしながら、Ｖ．３４手順を利用するまでに時間をようするため、このような場合は、Ｖ．３４手順の通信を禁止し、Ｖ．２７ｔｅｒ、Ｖ．２９、Ｖ．１７のいずれかの通信を行うように制御してもよい。
【００３１】
図８は、本発明の実施例における、送信処理を示すフローチャートである。このフローチャートは、ＲＯＭ１０２に格納されたプログラムに従って、ＣＰＵ１０１によって実行される。
【００３２】
送信の指示がされると、ＣＰＵ１０１は、ＮＣＵ（１０９）に回線補足を指示する（Ｓ１）。続いて、相手先電話番号をダイヤルする（Ｓ２）。ダイヤル後に初期識別信号を検出するのためのＴ１タイマ（６０秒）をセットする（Ｓ３）。引き続いて、１秒後にＣＮＧ信号が送出されるようにＣＮＧオフタイマへタイマ値をセットする（Ｓ４）。
【００３３】
（Ｓ５）〜（Ｓ１５）までは信号検出をしながらＣＮＧ信号を送出するためのループ処理となっている。ＣＰＵ１０１がファクシミリの初期識別を検出するタイマのタイムアウト（Ｔ１タイムアウト）を検出した場合（Ｓ５）には、ＩＰ網経由フラグをセット（Ｓ６）する。ここで、ＩＰ網経由フラグをセットするのは、Ｔ１タイムアウトの原因が、ＩＰ網側でＣＮＧ信号を検出できず、必要なＱｏＳ制御が行われなかったために通信が成立しなかったと考えられるためである。その後、リダイヤルセット（Ｓ７）を行い回線開放する。相手先が話し中等で応答できない場合にはビジートーンが送られてくるので、ビジートーンを検出した場合（Ｓ８）には、ＩＰ網経由フラグをセットせずに、リダイヤルセット（Ｓ７）を行い回線開放する。ここで、ＩＰ網経由フラグをセットしないのは、相手先と通信が成立しない原因が、ＩＰ網側でＱｏＳ制御を行わなかったことではなく、相手先が話中であることがはっきりしているからである。
【００３４】
（Ｓ９）では、ＩＰ網のＱｏＳ機能を有効にするための制御を行うかを判断するＩＰ網フラグを確認する。ＩＰ網フラグがオフの場合に、（Ｓ１０）にて被呼側端末からのＡＮＳａｍ信号を確認する。ＡＮＳａｍ信号が検出できれば、（Ｓ１６）〜（Ｓ２１）まではＶ．８手順（Ｖ．３４フェーズ１）の処理となり信号検出をしながらＶ．８手順の終了を待ち、Ｖ．８手順の結果、Ｖ．３４の通信モードで通信が可能（Ｓ２１）ならＶ．３４フェーズ２処理へ移行する。Ｖ．８手順の結果、Ｖ．３４モードでの通信が不可ならば（Ｂ）へ移行し、Ｖ．２１変調方式を用いた低速手順を実行する。
【００３５】
（Ｓ１０）にてＡＮＳａｍ信号を検出できなかった場合には、被呼側端末からＣＥＤ信号を示すトーン信号を検出したかどうかを確認する（Ｓ１１）。ＣＥＤ信号が検知できた（Ｖ．１７以下の通常送信の）場合には、ＣＮＧ信号を停止（Ｓ２３）する。
【００３６】
（Ｓ１１）にてＣＥＤ信号が検知できなかった場合には、受信機側から送出されるＤＩＳ信号を早期にまたは一部でも検出するためにＶ．２１Ｈキャリア（手順信号の搬送周波数）検出を行う（Ｓ１２）。同様に、（Ｓ９）でＩＰ網フラグがオンの場合も、Ｖ．２１Ｈキャリアの検出を行う（Ｓ１２）。Ｖ．２１Ｈキャリアが検出された場合には、ＤＩＳ信号の検知のためにＣＮＧ信号を再び送信するまでのタイマを延長し（Ｓ２２）、ＣＮＧ信号を停止させる（Ｓ２３）。ＣＮＧオフタイマがタイムアウト（Ｓ２４）したら、（Ｓ１４）にて再度発呼側が非音声端末であることを示すＣＮＧ信号を送出する。このように送信機はＤＩＳ信号を検出した後も、ＣＮＧ信号を送出するため、ＩＰ網に対してファクシミリ通信を実行することを確実に通知できる。ＤＩＳ信号が検知できた（Ｓ２５）場合には、ＤＩＳ信号中のＶ．８能力ビットを確認する（Ｓ２６）。Ｖ．８能力が確認できなければ、Ｖ．１７以下の通信を行うために、Ｔ．３０ノードＡへ移行する。これによって、送信機は、ＤＣＳ信号を送出し、Ｖ．１７以下でファクシミリ通信を開始することができる。Ｖ．８能力が確認できれば、再びＶ．３４モードでの通信が可能なので、ＣＩ信号送出モードにセット（Ｓ２７）する。以降は、Ｖ．３４モードでのファクシミリ通信を実行する。
【００３７】
（Ｓ９）の判定で（Ｓ１０）（Ｓ１１）をスキップしＤＩＳ信号を検出していることから、既にＩＰ網側のＱｏＳ機能を有効にしていると判断できるので、ＩＰ網フラグをリセット（Ｓ２８）する。
【００３８】
以下に図８で述べたフローチャートの変形例について説明する。以下西メス変形例のいくつかを、図８のフローチャートと組み合せて実行してもよい。
【００３９】
ここでは、（Ｓ５）でＴ１タイムアウトが発生した場合に、（Ｓ６）でＩＰ網経由フラグをセットする例について説明したが、これに限らない。ユーザが送信機がＩＰ網に接続されていることを知っている場合、ユーザに、操作部１１６を介してＩＰ網経由フラグを設定させるようにしてもよい。この場合、（Ｓ１）で、ユーザはＩＰ網経由フラグをセットし、（Ｓ８）でＣＰＵ１０１はＳ５のＴ１タイムアウトが発生しなくとも、ＩＰ網経由であることが判断できる。同様に、相手先番号が０５０で始まる場合に、ＣＰＵ１０１はＩＰ網に接続されていると判断し、ＩＰ網経由フラグをセットするようにしてもよい。
【００４０】
さらに、（Ｓ９）でＩＰ網フラグがオンの場合に、（Ｓ１２）でＶ．２１Ｈキャリアの検出を行う例について説明したがこれに限らない。（Ｓ１２）でＶ．２１Ｈキャリアの検出を行うかわりに、（Ｓ１１）と同様にＣＥＤ信号を示すトーン信号を検出するようにしてもよい。ただし、この場合、ＣＥＤ信号を検出し、（Ｓ２２）と同様にＣＮＧオフタイマを延長する。これによって、再度、ＣＮＧを送出することができるため、確実にＱｏＳ機能を働かせることができる。ただし、ＩＰ網フラグがオフである場合は、（Ｓ１１）でＣＥＤ信号を検出した場合は、ＣＮＧオフタイマを延長せずに、ＣＮＧの送出を停止する。
【００４１】
さらに、（Ｓ２５）でＤＩＳ信号を検知し、（Ｓ２６）でＶ．８能力があることを確認できれば、（Ｓ２７）を実行し、Ｖ．３４でファクシミリ通信を実行する例について説明したが、これに限らない。（Ｓ２６）でＶ．８能力があることを確認できた場合でも、ＩＰ網経由フラグがセットされている場合は、Ｖ．８モード、Ｖ．３４モードでの通信を禁止し、Ｔ．３０ノードＡに移行するようにしてもよい。すなわち、ＩＰ網経由フラグがセットされていない場合のみ、Ｖ．３４モードでの通信を実行するようにしてもよい。このようにすることによって、前手順を何度も実行することが防止でき、通信時間を短くすることができる。
【００４２】
さらに、ここでは、（Ｓ２２）に示すように、Ｖ．２１Ｈキャリアを検出後にＣＮＧオフタイマを制御することによって、ＣＮＧ信号の送出するタイミングを制御するようにしたが、これに限らない。ＩＰ網側で、確実にＣＮＧ信号を検出できるように、Ｖ．２１Ｈキャリアを検出後に送出する回数を増やしたり、ＣＮＧ信号のオン時間を長くするように制御したりしてもよい。要するに、被呼側からの識別信号を検出した場合でも、すぐにＣＮＧ信号の送出を停止せず、少なくとも１回以上ＣＮＧ信号の送出を継続することができれば、ＩＰ網側で確実にＱｏＳ機能を行わせることができる。
【００４３】
また、ここでは単一のＣＰＵが、図８のフローチャートを実行する例について記載したが、これに限らない。複数のＣＰＵが分散して実行するようにしてもよい。
【００４４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４５】
１０１  ＣＰＵ
１０２  ＲＯＭ
１０３  ＲＡＭ
１０４  蓄積メモリ（画像メモリ）
１０５  解像度変換処理部
１０６  読取記録用符号化複合化処理部
１０７  時計部
１０８  モデム
１０９  ＮＣＵ（回線ｉｆ部）
１１０  電話機
１１１  ＶｏＩＰルータ
１１２  ＩＰネットワーク
１１３  画像処理部
１１４  シートスキャナ
１１５  ブックスキャナ
１１６  操作部
１１７  ラインバッファ
１１８  プリントバッファ
１１９  プリンタ
【図１】
2011124664.tif 000003
【図２】
2011124664.tif 000004
【図３】
2011124664.tif 000005
【図４】
2011124664.tif 000006
【図５】
2011124664.tif 000007
【図６】
2011124664.tif 000008
【図７】
2011124664.tif 000009
【図８】
2011124664.tif 000010